【事件の表示】
　平成３年特許願第３４０４２４号「ディスクチェンジャー装置」拒絶査定に対する審判事件［平成６年２月４日出願公開、特開平６−２８７６１］について、次のとおり審決する。
【結　論】
　本件審判の請求は、成り立たない。
【理　由】
１ 手続の経緯、本願発明
　本願は、平成３年１１月２９日の出願であって、その請求項１に係る発明は、原審及び当審において補正された明細書及び図面の記載からみて、その特許請求の範囲の請求項１に記載された次のとおりのものと認める。
　「複数のディスクが多段に収納され、基盤上に対向するように設けられた一対のディスク収納部と、
　上記一対のディスク収納部の間で上記ディスクの収納方向に沿って垂直に昇降移動されるディスク搬送機構と、
　上記ディスク搬送機構に上記一対のディスク収納部の何れかのディスク収納部に収納されたディスクを挟持する位置と上記挟持されたディスクを上記ディスク収納部から取り出す位置との間を移動自在で、且つ上記一対のディスク収納部の一方のディスク収納部と対向する位置と他方のディスク収納部と対向する位置との間を水平方向に回転可能に設けられたディスクチャッキング部と、
　を備えているディスクチェンジャー装置。」（以下、「本願発明」という。）
　　
２ 引用刊行物に記載された発明
　これに対して、原査定の拒絶の理由に引用された実願昭５８−１３５１１３号(実開昭６０−４４２５９号)のマイクロフィルム（以下、「引用刊行物」という。)には、所定のディスク収納部に多段状に収納配置されている光学ディスクを選択的に取出し演奏するようになした光学ディスクプレーヤを用いた自動演奏装置について、次の事項が記載されている。
　 (i)「本考案によるディスク収納ケース１は、第１図、第２図及び第３図に示すように平板状で方形状の収納ケース本体２を有している。この収納ケース本体２の上面には、楽音信号等の所定の情報を信号を記録した光学ディスク３が収納保持されるこの光学ディスク３の外形形状に対応する円弧状のディスク収納凹部４が設けられている。」（3頁12〜18行）
　 (ii)「収納ケース本体２の前方側の両側部には、内方側部側を幅狭間となし外方側に向て徐々に拡開するように略Ｖ字状に形成された後述するディスク収納ケース１を保持するフック部材が係合する係合凹部７,７が設けられている。これら係合凹部７,７を設けた近傍には、このディスク収納ケース１をディスク収納部に収納保持したとき上記ディスク収納部に係合保持させるロックアーム８,８がそれぞれ取付けられている。」（5頁9〜17行）  
　 (iii)「上述のように構成されたディスク収納ケース１は、第４図、第５図及び第６図に示す如く多数枚のディスク収納ケース１を多段状に収納載置する一対のディスク収納部31,31と、これらディスク収納部31,31に収納載置されたディスク収納ケース１を選択的に引出し操作するディスク引出し機構32と、このディスク引出し機構32により引出されたディスク収納ケース１を上記ディスク引出し機構32とともに所定演奏位置へ搬送するディスク搬送機構33と、このディスク搬送機構33によって搬送されたディスク収納ケース１に収納保持されていた光学ディスク３を演奏するプレーヤ部34とからなる自動演奏装置において、光学ディスク3を収納保持させたままの状態でディスク収納部31,31から引出し搬送され、上記プレーヤ部34まで搬送されたとき上記光学ディスク３を分離してディスクテーブル41上に装着させることができる。
　 ところで、上記自動演奏装置を構成する一対のディスク収納部31,31は、装置本体を構成する基台35の両側に、ディスク収納ケース１の挿脱口36側を相対向させて植立する如く配設されている。」(9頁8行〜10頁10行)
　 (iv)「ディスク収納ケース１が多段状に収納配置される一対のディスク収納部31,31を配設した自動演奏装置は、上記ディスク収納部31,31間の中央位置にディスクテーブル41を一体に取付けたスピンドル軸42の軸心を一致させて光学ピックアップ装置43を備えたプレーヤ部33を基台35上に載置する如く設け、上記ディスク収納部31,31に収納載置されたディスク収納ケース１を保持する収納ケース保持手段が設けられこの収納ケース保持手段によって保持された上記ディスク収納ケース１を上記ディスク収納部31,31から引出し操作するディスク引出し手段となるディスク引出し機構32を上記一対のディスク収納部31,31間に亘ってスライド可能に支持した搬送機構33を上記一対のディスク収納部31,31間において昇降自在に設けている。
　 そして、上記搬送機構33は、中央部に開口を有する略枠状に形成された搬送体44を有している。この搬送体44は、(中略)上記昇降ガイド軸47にガイドされて昇降し得るように支持され、さらに(中略)上記昇降ガイド軸47と平行に植立された回動規制ガイド軸50を挟持するようになし、昇降ガイド軸47の軸回り方向に対する回動を規制するようにして取付けられている。このように取付けられた搬送体44は、基台35上背面側に配設した昇降駆動モータ51により昇降駆動される。」(14頁5行〜15頁16行)
　 (v)「このように搬送体44を昇降ガイド軸47にガイドさせて昇降駆動モータ51により昇降操作するようになされた搬送機構33の上記搬送体44は、上記昇降駆動モータ51の駆動操作により、ディスク収納部31の上端位置から基台35上に設けられるプレーヤ部33のディスクテーブル41の下面側位置に亘って昇降操作され、ディスク引出し機構32により引出されたディスク収納ケース１に収納保持された光学ディスク３をディスクテーブル41上に載置するように動作する。
　 そして、上記搬送機構33の搬送体44上にスライド可能に支持されるディスク引出し機構32は、連結杆58の両端に互い平行な支持杆59,59を一体に設けて略Ｈ形状に形成されたスライダ60を有している。」(16頁12行〜17頁7行)
　 (vi)「上述のようにスライダ駆動モータ64によりスライダ60を搬送体44上にスライド自在に設けてなる引出し機構32の上記スライダ60には、各ディスク収納部31,31に収納載置されたディスク収納ケース１を保持する保持手段を構成する対をなすフック部材70が各ディスク収納部31,31にそれぞれ対向して1組ずつ設けられている。このディスク収納ケース１の保持手段を構成するフック部材70は、第１１図に示すようにアーム部71の先端にディスク収納ケース１の両側に設けた係合凹部７に係合するこの係合凹部７に対応する形状の係合爪72が設けられている。」(18頁8〜19行)
　 (vii)「このように取付けられる各一対のフック部材70，70の係合爪72,72の間隔は、ディスク収納ケース１の両側の各係合凹部７,７に亘る長さと略々同一となされ、上記各係合爪72,72がそれぞれ上記各係合凹部７,７に係合した状態で、スプリング76の付勢力を受けることなく上記フック部材70,70がディスク収納ケース１の上記係合凹部７,７に係合した上記ディスク収納ケース１に負荷を与えることなく保持するようにしている。
　 また、スライダ60の上両側には、上記各フック部材70をスプリング76の付勢力に抗して回動操作し、各対をなすフック部材70,70の係合爪72,72の間隔を拡間するソレノイドプランジャ79が支持杆59から立上がらせた取付け片を介して上記各フック部材70毎に取付けられている。」（20頁2〜18行）
　 (viii)「そして、ソレノイドプランジャ79に通電がなされ、プランジャロッド81が引き付けられるとフック部材70をスプリング76に抗して回動され、対をなす各フック部材70の相対向する係合爪72,72の間隔を拡間させ、例えば上記一対のフック部材70,70によるディスク収納ケース１の保持を解除する。」(21頁18行〜22頁5行)
　 (ix)「上述のような構成を有するディスク収納ケース１の保持手段としてのフック部材70を設けたディスク引出し機構32によるディスク収納部31に収納されたディスク収納ケース１の引出し動作から、この引出されたディスク収納ケース１に収納保持された光学ディスク３の演奏に至る動作を説明する。
　 ここで、図示しない操作部において、(中略)例えば第９図中左側に位置するディスク収納部31を指定するとともに、このディスク収納部31に収納載置されたディスク収納ケース１中の特定番地にあるものを指定すると、(中略)４つのソレノイドプランジャ79がオンされ、対をなす各フック部材70はその間隔を拡開するように回動操作され、次いで昇降駆動モータ51が駆動して搬送体40を昇降ガイド軸47にガイドさせて昇降操作させ、この搬送体40上に支持したスライダ60を上記指定され番地のディスク収納ケース１に対応する位置まで移送する。ここでスライダ駆動モータ64が正転駆動し、スライダ60を指定された左側の一方のディスク収納部31側へ移動させる。(中略)そして、スライダ60は、上記一対のフック部材70,70を指定されたディスク収納ケース１の係合凹部７,７に対向させた位置で停止させられる。ここで、スライダ60の左方側に位置する一方の対をなすフック部材70,70のソレノイドプランジャ79,79がオフされ、これらフック部材70,70先端の係合爪72,72がディスク収納ケース１の係合凹部７,７に係合する。このようにフック部材70,70でディスク収納ケース１を保持すると、スライダ駆動モータ64が逆転駆動され、(中略)上記ディスク収納ケース１を一方のディスク収納部31から引出す。(中略)そして、上記スライダ60は第１４図に示すように引出された上記ディスク収納ケース１に収納保持された光学ディスク３のセンター穴3aがプレーヤ部のスピンドル軸42の軸心に一致する一対のディスク収納部31,31間の中央位置に一致する第２の位置へ移動される。」(24頁16行〜27頁13行)
　 (x)「上述のように、一対の対をなすフック部材70,70でディスク収納ケース１を保持し、このディスク収納ケース１をスライダ60が引出した所で、昇降駆動モータ51が正転方向に駆動され、搬送体44をプレーヤ部33側の下方側へ降下させる。」（28頁11〜16行）
　 (xi)「そして、ディスク収納ケース60を引出したスライダ60が設けられた搬送体44が降下され、(中略)上記ディスク収納ケース１内に収納保持された光学ディスク３がセンター穴3aをスピンドル軸42に嵌合してディスクテーブル41上に載置される。この状態から搬送体44がさらに降下されると、ディスク収納ケース１は光学ディスク３をディスクテーブル41上に残したままの状態で上記ディスクテーブル41下方位置まで搬送されて上記光学ディスク３から分離される。」(29頁18行〜30頁11行)
　 (xii)「上述の如く光学ディスク３がディスク収納ケース１から分離されディスクテーブル41上にディスクチャック部112で挾着される位置まで搬送体44が降下されると、(中略)昇降駆動モータ51が停止されるとともに、プレーヤ部33は演奏状態となり、ディスクテーブル41が回転駆動され光学ディスク３が回転操作され(中略)上記光学ディスク３に記録された楽音信号等の読み取りを行ない演奏が行なわれる。
　 そして、上記光学ディスク３の演奏が終了し、又はプレーヤ部33を停止させるスイッチが操作されると、ディスクテーブル41の回転が停止されると同時に昇降駆動モータ51が逆転駆動され搬送体44が上昇し、上記ディスクテーブル41上に載置されていた光学ディスク３をディスク収納ケース１のディスク収納凹部４内に収納保持させる。(中略)上述の如く光学ディスク３をディスク収納ケース１内に収納保持させた後、搬送体44はさらに上昇され、上記ディスク収納ケース１が収納載置されるディスク収納部31の特定番地位置まで移動して停止する。この搬送体44が停止すると、スライダ駆動モータ64が逆転駆動されスライダ60は一方のディスク収納部31側である第１の位置へ移動するようになり、一方の対をなすフック部材70,70で保持していたディスク収納ケース１をディスク収納部31内に引込む。(中略)上記スライダ60が第１の位置へ至ったことを検出すると、上記スライダ駆動モータ64が停止されるとともに上記一方の対をなすフック部材70,70を回動操作する一対のソレノイドプランジャ79,79がオンされ上記フック部材70,70を回動操作させ上記フック部材70,70先端の係合爪72,72をディスク収納ケース１の係合凹部７,７から外する。そしてフック部材70,70によるディスク収納ケース１の保持が解除されて、上記ディスク収納ケース１のディスク収納部31への引込み操作が完了する。」(31頁8行〜33頁19行)
　上記記載事項(i)〜(xii)並びに第１図、第４〜６図及び第９〜１６図をみれば、上記引用刊行物には以下の発明が記載されていることになる。
　「光学ディスク(3)を収納保持する複数のディスク収納ケース(1)が多段に収納され、基台(35)上に対向するように設けられた一対のディスク収納部(31,31)と、
　上記一対のディスク収納部(31,31)の間で上記光学ディスク(3)の収納方向に沿って垂直に昇降移動されるディスク搬送機構(33)と、
　上記ディスク搬送機構(33)に上記一対のディスク収納部(31,31)の何れかのディスク収納部に収納されたディスク収納ケース(1)を保持する位置と上記保持されたディスク収納ケースを上記ディスク収納部から取り出す位置との間を移動自在で、上記ディスク収納ケースを保持する保持手段を構成する一対のフック部材(70,70)が上記一対のディスク収納部のそれぞれに対向して設けられたディスク引出し機構(32)と、
　を備えているディスク交換装置。」（以下、「引用刊行物の発明」という。）
　　
３ 対　比
　そこで、本願発明と引用刊行物の発明とを比較すると、引用刊行物の発明における「光学ディスク」、「基台」及び「ディスク交換装置」は、それぞれ本願発明における「ディスク」、「基盤」及び「ディスクチェンジャー装置」に相当するものであり、また引用刊行物の発明において、光学ディスク(3)を収納保持する複数のディスク収納ケース(1)がディスク収納部(31,31)に多段に収納されていることは、複数の光学ディスク(3)がディスク収納部(31,31)に多段に収納されていることに他ならないから、両者は次の一致点及び相違点を有するものである。
　[一致点]
　「複数のディスクが多段に収納され、基盤上に対向するように設けられた一対のディスク収納部と、
　上記一対のディスク収納部の間で上記ディスクの収納方向に沿って垂直に昇降移動されるディスク搬送機構と、
　上記ディスク搬送機構に上記一対のディスク収納部の何れかのディスク収納部に収納されたディスクを確保する位置と上記確保されたディスクを上記ディスク収納部から取り出す位置との間を移動自在に設けられたディスク取出し手段と、
　を備えているディスクチェンジャー装置。」
　[相違点]
　ディスク搬送機構に設けられ、ディスク収納部に収納されたディスクを確保するディスク取出し手段が、本願発明においてはディスクを挟持するものであり、且つ一対のディスク収納部の一方のディスク収納部と対向する位置と他方のディスク収納部と対向する位置との間を水平方向に回転可能であるのに対して、引用刊行物の発明では、ディスクを収納保持するディスク収納ケースを保持するものであり、水平方向に回転可能でない点。
　　
４ 当審の判断
　以下、上記相違点について検討する。
　ディスクチェンジャー装置において、ディスク搬送機構に設けられたディスク取出し手段を、ディスク収納部に収納されたディスクを直に挟持して前記ディスク収納部から取出すように構成することは、従来から周知の技術的事項である〔例えば、実願平１−１１９１４２号(実開平２−６０９５２号)のマイクロフィルム、特開昭６３−１０３４６５号公報、及び特開昭６０−１９７９７５号公報参照〕。
　また、本願発明と同じ技術分野に属するライブラリー型情報記憶装置において、記録媒体搬送機構に設けられた記録媒体取出し手段を、複数の記録媒体収納部に対向するそれぞれの位置の間で水平方向に回転可能に構成することは、従来から周知の技術的事項である〔例えば、実願昭６２−１６１００７号(実開平１−６６６４９号)のマイクロフィルム、及び特開平１−２２０１７１号公報参照〕。
　そして、上記周知の技術的事項を考慮すれば、引用刊行物の発明において、ディスク搬送機構に設けられたディスク引出し機構を、ディスク収納部に収納されたディスクを直に挟持し、且つ一対のディスク収納部のそれぞれに対向する位置の間を水平方向に回転可能に構成することに格別の困難性は見当たらない。
　そして、本願発明を全体的にみても、上記引用刊行物の発明及び周知の技術的事項から当業者が当然予測できる範囲を超える格別の作用・効果を見出すことができない。
　　
５ むすび
　以上のとおりであって、本願発明は、引用刊行物の発明に基づいて、当業者が容易に発明をすることができたものであるから、特許法第２９条第２項の規定により特許を受けることができない。
　よって、結論のとおり審決する。